(57)【要約】      （修正有）【課題】高精度の陰極線管用パネル等をプレス成型する際に、プランジャーのガイドバーとガイド部のウェアプレ一卜とが擦れて生じる金属粉の雌金型内への侵入を防止可能なガラス物品のプレス成型装置及び成型方法を提供する。【解決手段】ボトム２の上面にシェルリング３を載置し、係止させて雌金型４とし、ゴブを供給し、シェルリング３に設けたガイド部６でガイドバー７ａを案内しつつプランジャー７でゴブを押圧してガラスパネルに成型した後、雌金型４のシェルリング３を取り外してボトム２からガラスパネルを取り出す一連の動作を反復するプレス成型装置及び成型方法であって、成型後、プランジャー７が上昇する際に、ガイドバー７ａがガイド部６のウェアプレ一卜１６ａから離れる解離位置１６ｃが、シェルリング３の上面から１０ｍｍ以上のδだけ下がった位置になっているものである。【選択図】図１
2006335581.tif 000002
【特許請求の範囲】
【請求項１】
底金型の上面に側金型を載置し、係止させて雌金型とし、該雌金型に溶融ガラス塊を供給し、該雌金型の側金型の外周に対向配置したウェアプレ一卜を具備するガイド部で雄金型に設けたガイドバーを案内しつつ雄金型によって雌金型に供給された溶融ガラス塊を押圧してガラス成型体に成型した後、該ガラス成型体を冷却手段で冷却し、雌金型の側金型を取り外して底金型からガラス成型体を取り出す一連の動作を反復するプレス成型装置であって、ガラス成型体を成型した後に前記雄金型が上昇する際に、ガイドバーが前記ガイド部のウェアプレ一卜から離れる位置が、側金型の上面から１０ｍｍ以上下がった位置になるようにウェアプレ一卜を配置したことを特徴とするガラス物品のプレス成型装置。
【請求項２】
ガイドバーの先端部及びウェアプレ一卜の上端部に面取り部が設けられており、ウェアプレートと雄金型ガイドバーが互いに嵌合される面に対するそれぞれの面取り部のテーパー面の角度を１０°〜１５°の範囲とし、かつ互いのテーパー面の角度をほぼ一致させることを特徴とする請求項１に記載のガラス物品のプレス成型装置。
【請求項３】
底金型の上面に側金型を載置し、係止させて雌金型とし、該雌金型に溶融ガラス塊を供給し、該雌金型の側金型の外周に対向配置したウェアプレ一卜を具備するガイド部で雄金型に設けたガイドバーを案内しつつ雄金型によって雌金型に供給された溶融ガラス塊を押圧してガラス成型体に成型した後、該ガラス成型体を冷却手段で冷却し、雌金型の側金型を取り外して底金型からガラス成型体を取り出す一連の動作を反復するプレス成型方法であって、ガラス成型体を成型した後に前記雄金型を上昇させて前記側金型の上面から１０ｍｍ以上下がった位置でガイド部のウェアプレ一卜間からガイドバーを離脱させることを特徴とするガラス物品のプレス成型方法。
【発明の詳細な説明】
【技術分野】
【０００１】
本発明は、ガラス物品のプレス成型装置及びプレス成型方法に関し、特に、雌金型に溶融ガラス塊を供給し雄金型で押圧して成型する際に、雌金型に雄金型を案内するガイド部が設けられた陰極線管用ガラス等の製造に適するプレス成型装置及びプレス成型方法に関する。
【背景技術】
【０００２】
従来、ガラス物品には、ガラス生地をプレスして製作されるものが多数存在する。この種のプレス成型工程においては、例えば、雌金型に溶融ガラス塊（以後ゴブと称す）を供給し、この雌金型内に雄金型を侵入させてゴブを押圧することにより所定形状のガラス物品を成型することが行われる。このようなプレス成型工程を経て製作されるガラス物品としては、陰極線管に用いられるガラスパネルやガラスファンネル、食器類、灰皿、電子レンジ用トレー等が挙げられる。
【０００３】
陰極線管（以後ＣＲＴと称す）用のガラスパネルやガラスファンネルをプレス成型する場合、回転テーブルと呼ばれる軸を中心に水平方向に回転するテーブルの周辺に沿って底型（以後ボトムと称す）を等間隔に配置し、回転駆動装置により回転テーブルを間欠回転させることによりボトムを所定の作業工程位置（以後ステーションと称す）に順次移動させている。
【０００４】
図２はＣＲＴ用のガラスパネルＰの概略図であり、画像を表示する内面にはスクリーン成膜により近年の映像の高精細化に対応する微細なパターンで３原色の蛍光体膜が形成される。図３はガラスパネルＰを成型するためのプレス成型装置を構成する回転テーブルとそのステーションの説明図である。図３において、ガラスパネルＰのプレス成型装置は、回転テーブル１の上面に外周方向に等間隔に１１個の底金型であるボトムが配置されており、回転テーブル１は、回転駆動手段（図示省略）によって２／１１回転ずつ間欠的に回転駆動される。回転テーブル１のステーションは下記の１１個の作業工程からなり、回転テーブル１の回転によって順次移動する。すなわち、２ステーション分ずつ間欠的に移動し、回転テーブル１が２回転することで１サイクルのプレス成型工程が完了する。
【０００５】
プレス成型は以下の順序で行われる。すなわち、ステーションＡでは、側金型であるシェルリング及び底金型であるボトムからなる雌金型に溶融ガラスのゴブが供給される。ステーションＣでは、雄金型であるプランジャーが下降し、ボトム内のゴブをプレスしてガラスパネルＰに成型する。ステーションＥ、Ｇ、Ｉでは、成型されたガラスパネルＰが冷却される。ステーションＫでは、待機していたシェルトランスファーによってシェルリングがボトムから分離される。ステーションＢ、Ｄ、Ｆでは、成型されたガラスパネルＰが冷却される。ステーションＨでは、ガラスパネルＰがボトムから取り出される。ステーションＪでは、ステーションＫでボトムから分離されたシェルリングを、シェルトランスファーによって次のゴブ供給のためにステーションＪで待機中のボトムの上面に移載される。最後に、ステーションＡに戻り、この間に回転テーブル１が２回転して１サイクルのプレス成型工程が完了する。
【０００６】
図４（Ａ）は、ステーションＣでボトム２にゴブＧが供給されている状態を示す説明図、図４（Ｂ）は、プランジャー７が下降してゴブＧを押圧しガラスパネルＰに成型している状態を示す説明図、図４（Ｃ）は、図４（Ｂ）のＸ−Ｘ断面図である。図４（Ａ）に示すように、ボトム２と、その上部載置されたシェルリング３とは、ボトム２の側面の４箇所に付設されたボトムガイドバー２ａに対応してシェルリング３の４箇所に設けられたガイド部６と嵌合し位置決めされた状態で雌金型４を形成している。雌金型４の上方には、雌金型４内に供給されたゴブＧを押圧するプランジャー７が雌金型４に対向して昇降可能に配置されている。プランジャー７は、雌金型４の中心軸に向かって昇降するように規制するためのボルスタ８に取付けられている。ボルスタ８は、支持フレーム９から垂設された複数のガイドシャフト１０に昇降可能に装着されている。
【０００７】
プランジャー７の上端には、図示されない油圧ユニットによって推力が与えられるプレスシリンダー１１が支持フレーム９に固定され、ピストンロッド１２の下端がボルスタ８に連結されている。プランジャー７はプレスシリンダー１１によってボルスタ８を介してガイドシャフト１０に案内されて下降し、ボトム２内に供給されたゴブＧを押圧してガラスパネルＰに成型するが、図４（Ｂ）、図４（Ｃ）に示すように、シェルリング３とプランジャー７とは、シェルリング３の外周の４箇所に設けられたガイド部６に、プランジャー７の外周の４箇所に設けられたガイドバー７ａが嵌合することによって位置決めされる構造になっている。
【０００８】
プランジャー７の下降にともなってガイドバー７ａとガイド部６内のウェアプレート６ａとは互いに擦られながら、所定の位置に組み合わされるが、特に、陰極線管用のガラスパネルやガラスファンネルなどの大型のゴブＧをプレスする際には、プランジャー７の強力な推力で、プランジャーガイドバー７ａとガイド部６とはより強く擦られるために金属粉Ｓが発生する。
【０００９】
また、上記のようなプレス成型装置では、成型されるガラスパネルＰの高精度化に伴い、プランジャー７と雌金型４とが所定の位置で正確に合致するように、これらガイドの嵌合部位は可能な限り遊びが小さくしてあり、プランジャー７、シェルリング３及びボトム２の芯ずれを防止するようになっている。そのため、図５に示すように、ガイド部６内のウェアプレート６ａとガイドバー７ａは互いに擦られながら、所定の位置に組み合わされるが、これらの部材にはステンレス鋼などの金属が使用されており、拡大して示すように、金属同士の擦れにより金属粉Ｓが発生する。
【００１０】
通常、擦れにより発生した金属粉Ｓは、プランジャー７の上昇時にガイドバー７ａがウェアプレート６ａから引き抜かれる時に飛散する。そして、ガイド部６やガイドバー７ａに付着するか、ガイド部６の上面もしくはボトムガイドバー２ａの取付け部等に堆積する。これらの部位に付着や堆積した金属粉Ｓは、シェルリング３がボトム２に組み合わされる際に、振動や衝撃によりボトム２に落下し、次のプレス成型でボトム２にゴブＧが供給される際に、ゴブＧの落下時の風圧などで金属粉Ｓが舞い上がりゴブＧの表面にも付着する。次いでプランジャー７が下降して、表面に金属粉Ｓが付着したゴブＧをプレスすると、プランジャー７の表面にも金属粉Ｓが付着する。特に、ゴブＧをプレスした後、プランジャー７が上昇する際に、プランジャー７の上昇軌道空間が負圧となるため内方向に向かう気流が発生し、飛散した金属粉Ｓがプレス後のガラスパネルＰ内に引き込まれてガラスパネルＰの内表面に付着する。付着した金属粉Ｓは、プレス直後のガラスパネルＰの内表面が高温であるためガラスパネルＰの内表面で焼付きや溶融を起こし、その結果、ガラスパネルＰの内表面にピットと呼ばれる微小の凹凸欠陥が発生する。ピットが生じたガラスパネルＰの内表面はスクリーン成膜による蛍光体膜の形成が適正に行えなくなり、近年のスクリーン膜の高精細化に的確に対処することが不可能となる。また、ゴブＧの表面に付着した金属粉Ｓがプランジャー７の表面に焼付くことがあり、プレスされたガラスパネルＰの内表面には付着痕が転写される。この場合はプランジャー７の交換が必要となり長時間の生産ロスの原因となる。
【００１１】
ガイドの擦れによる金属粉Ｓの発生を防ぐ一般的な方法として、ガイド部６のウェアプレート６ａに潤滑剤を手作業で塗布することがなされるが、上記のようなプレス成型装置では、通常、サイクルタイムが数秒から数十秒であり、小型のガラスパネルＰではサイクルタイムが短いため手作業による塗布は難しい。また、大型のガラスパネルＰでは、ガイドの配置間隔が大きくガラスパネルＰ冷却用のウインドヘッダーなどの存在が邪魔になり正確な潤滑剤の塗布が困難である。また、塗布する潤滑剤の量が多すぎるとガイドから垂れてガラスパネルＰに落下するなど不良原因となる。プレス成型装置の稼動中に少量の潤滑剤を高頻度で正確にガイドに塗布するのは、オペレーターに大きな負担となる上に高温環境下での厳しい作業でもある。
【００１２】
このような金属粉対策の事例として、例えば、特許文献１には、プランジャーを案内するキー（プランジャーガイドバーと同じ）にサーメットと金属の複合材、あるいは金属と黒鉛の複合材を使用することで潤滑性を持たせるものが開示されている。また、特許文献２には、金属同士の擦れによって発生した金属粉を非磨耗部に装着した磁石で捕集する方法が開示されている。さらに、特許文献３には、エアー吹付けによりガイド部の金属粉を除去する方法が開示されており、特許文献４には、シェルガイドのウェアプレートに潤滑剤を自動で塗布する方法が開示されている。
【特許文献１】特開平７−２０６４５９号
【特許文献２】特開２００２−３４８１３５号
【特許文献３】特開２００４−１８３０６号公報
【特許文献４】特開２００５−６７９９２号公報
【発明の開示】
【発明が解決しようとする課題】
【００１３】
しかしながら、上記４件の特許文献で示されている方法では、何れもまとまった装置または部品が、従来の金型またはプレス成形設備に追加されることになり、コスト、メンテナンス等が増加してしまうものである。具体的には、特許文献１は、プランジャーを案内するキーの材質を選択することによって潤滑性を持たせるものであるが、高価な部品を使用しても、以前として金属同士の擦れそのものは存在し、金属粉の発生による問題は残る。
【００１４】
また、特許文献２の磁石を使用する方法では、ガイド部の磨耗によって生じる以外の金属粉をも捕集してしまう。また、磁石の交換時に、生産のロスが生じる。さらに、周辺金属部が磁石によって磁性を帯び、余計な金属粉までも捕集してしまうなど、セッティングが僅かに違うだけでデメリットが大きくなる等の問題が多い。
【００１５】
さらに、特許文献３のエアー吹付けによる方法では、ガイド部に付着した金属粉は除去されるが、擦れによって発生した金属粉がエアーにより周辺に拡散することを招き、プレス成型装置の周辺に飛散し、それらが間接的に吹き上げられた場合には、ガラスパネルの内面欠陥を生じる原因となりうる。
【００１６】
また、特許文献４に記載の装置による潤滑剤塗布では、作業者の作業が自動化されただけのもので、装置の取付け・取外し、メンテナンス等が新たに必要とされる。例えば金型寸法の変更時には、各ノズルのエアー圧および潤滑剤の量の調整作業が必要である。また、ノズル穴の詰まりやセッティングズレが起こると潤滑効果が減少するので、その都度復旧メンテナンス作業が必要になるという問題がある。
【００１７】
本発明は、上記の問題点に鑑み、プレス成型されるガラス物品に金属粉などの異物付着による欠陥の発生を回避し、高品質なガラス物品を得ることができるガラス物品のプレス成型装置及びその装置を使用したプレス成型方法を提供することを課題とする。
【課題を解決するための手段】
【００１８】
本発明に係るガラス物品のプレス成型装置は、底金型の上面に側金型を載置し、係止させて雌金型とし、該雌金型に溶融ガラス塊を供給し、該雌金型の側金型の外周に対向配置したウェアプレ一卜を具備するガイド部で雄金型に設けたガイドバーを案内しつつ雄金型によって雌金型に供給された溶融ガラス塊を押圧してガラス成型体に成型した後、該ガラス成型体を冷却手段で冷却し、雌金型の側金型を取り外して底金型からガラス成型体を取り出す一連の動作を反復するプレス成型装置であって、ガラス成型体を成型した後に前記雄金型が上昇する際に、ガイドバーが前記ガイド部のウェアプレ一卜から離れる位置が、側金型の上面から１０ｍｍ以上下がった位置になるようにウェアプレ一卜を配置したことを特徴とする。
【００１９】
ガイドバーがガイド部のウェアプレ一卜から離れる位置を雌金型内部及び雄金型表面から遠ざける方向が水平方向の場合は、直接雌金型内部に落下する金属粉、直接プランジャーに付着する金属粉への効果はあると思われるが、側金型の上面に乗り稼動中に落下する金属粉の付着防止にはならず、結局効果が認められない。そこで、垂直方向に側金型の上面とウェアプレート上端部付近にあるガイドバーが離れる位置との間に十分な距離をとリ、金属粉の拡散による侵入を防止する。具体的には、ウェアプレートの側金型上面側を短くするか、または下方に移動させ、必要に応じてプランジャーガイドバーを長くする。それにより、ウェアプレート上端と側金型の上面に段差が形成され、金属粉の発生部の周りに壁が形成される形となリ、金属粉の侵入を防ぐことが可能となる。
【００２０】
この段差が、側金型の上面から１０ｍｍ未満の場合、金属粉の侵入を十分に防ぐことができなくなることが実証されている。本発明では、側金型の外周に対向配置したウェアプレ一卜の上方で、雄金型が上昇する際に、ガイドバーが前記ガイド部のウェアプレ一卜から離れる位置、すなわち、雄金型が降下する際に、ガイドバーが最初に接触するガイド部のウェアプレ一卜の位置が、側金型の上面から１０ｍｍ以上離れていることが、ウェアプレートとガイドバーが擦られて生じる金属粉の雌金型内への侵入及び雄金型への付着を防止する上で重要である。
【００２１】
また、本発明では、ガイドバーの先端部及びウェアプレ一卜の上端部に面取り部が設けられており、ウェアプレートと雄金型ガイドバーが互いに嵌合される面に対するそれぞれの面取り部のテーパー面の角度を１０°〜１５°の範囲とし、かつ互いのテーパー面の角度をほぼ一致させることが、ウェアプレートとガイドバーが擦られる際に生じる金属粉を減らし、かつ、雄金型が上昇してガイドバーがガイド部のウェアプレ一卜から離れる際に、ガイドバーが摺動しながら円滑に離れるので、ガイドバーの振動発生を抑制して金属粉の飛散を抑制する上で好ましい。また、プレス成型装置やガラス物品の要求精度にもよるが、ガイドバー及びウェアプレートの面取り部に設けるテーパー面の垂直方向長さは、それぞれ少なくとも３ｍｍ以上が好ましく、より好ましくは５ｍｍ以上である。
【００２２】
なお、本発明の面取り部に設けるテーパー面とは、ガイドバーやウェアプレ一卜の互いに嵌合される面の端部を一定の角度でテーパー加工したものであり、一般的なＣ面取りやＲ面取りとは異なる。従って、面取り部に設けるテーパー面にさらに一般的なＣ面取りやＲ面取りを施すことができるが、面取り部に設けるテーパー面の１０°〜１５°の範囲で選択された一定の角度を有するテーパー面の面沿い長さは先記した寸法を確保する必要がある。
【００２３】
本発明に係るガラス物品のプレス成型方法は、底金型の上面に側金型を載置し、係止させて雌金型とし、該雌金型に溶融ガラス塊を供給し、該雌金型の側金型の外周に対向配置したウェアプレ一卜を具備するガイド部で雄金型に設けたガイドバーを案内しつつ雄金型によって雌金型に供給された溶融ガラス塊を押圧してガラス成型体に成型した後、該ガラス成型体を冷却手段で冷却し、雌金型の側金型を取り外して底金型からガラス成型体を取り出す一連の動作を反復するプレス成型方法であって、ガラス成型体を成型した後に前記雄金型を上昇させて前記側金型の上面から１０ｍｍ以上下がった位置でガイド部のウェアプレ一卜間からガイドバーを離脱させることを特徴とする。
【００２４】
本発明では、上記本発明のプレス成型装置を使用することにより、ガラス成型体を成型した後に、雄金型を上昇させて側金型の上面から１０ｍｍ以上下がった位置でガイド部のウェアプレ一卜間からガイドバーを離脱させることが、ウェアプレートとプランジャーのガイドバーが擦られて生じる金属粉の雌金型内への侵入及び雄金型への付着を防止する上で重要である。
【発明の効果】
【００２５】
本発明のガラス物品のプレス成型装置は、底金型の上面に側金型を載置し、係止させて雌金型とし、該雌金型に溶融ガラス塊を供給し、該雌金型の側金型の外周に対向配置したウェアプレ一卜を具備するガイド部で雄金型に設けたガイドバーを案内しつつ雄金型によって雌金型に供給された溶融ガラス塊を押圧してガラス成型体に成型した後、該ガラス成型体を冷却手段で冷却し、雌金型の側金型を取り外して底金型からガラス成型体を取り出す一連の動作を反復するプレス成型装置であって、ガラス成型体を成型した後に前記雄金型が上昇する際に、ガイドバーが前記ガイド部のウェアプレ一卜から離れる位置が、側金型の上面から１０ｍｍ以上下がった位置になるようにウェアプレ一卜を配置したので、ウェアプレートとガイドバーが擦られて生じる金属粉の雌金型内への侵入及び雄金型への付着を防止することができ、金属粉の付着による欠陥の発生を回避し、高品質なガラス物品を得ることができる。
【００２６】
本発明に係るガラス物品のプレス成型方法は、ガラス成型体を成型した後に前記雄金型を上昇させて前記側金型の上面から１０ｍｍ以上下がった位置でガイド部のウェアプレ一卜間からガイドバーを離脱させるので、上記本発明のプレス成型装置を使用して、ウェアプレートとガイドバーが擦られて生じる金属粉の雌金型内への侵入及び雄金型への付着を防止することができ、金属粉の付着による欠陥の発生を回避し、高品質なガラス物品を得ることができる。
【発明を実施するための最良の形態】
【００２７】
以下に本発明の実施形態の一例を、図面を参照して説明する。図１は本実施形態のプレス成型装置の説明図であって、１６ａ、２６ａはウェアプレ一卜、２６ｂはテーパー面、１６ｃ、２６ｃはウェアプレ一卜１６ａ、２６ａのガイドバーの解離位置、７ａ、１７ａはプランジャーのガイドバー、１７ｂはガイドバー１７ａのテーパー面、αはガイドバー１７ａのテーパー面１７ｂの角度、βはウェアプレ一卜２６ａのテーパー面２６ｂの角度をそれぞれ示している。
【実施例１】
【００２８】
本実施形態のプレス成型装置は、図１に示すように、ボトム２と、その上部に載置されたシェルリング３とは、ボトム２の側面の４箇所に付設されたボトムガイドバー２ａに対応してシェルリング３の４箇所に設けられたガイド部６と嵌合し位置決めされた状態で雌金型４を形成している。雌金型４の上方には、雌金型４内に供給されたゴブＧを押圧するプランジャー７が雌金型４に対向して昇降可能に配置されている。シェルリング３とプランジャー７とは、シェルリング３の外周の４箇所に設けられたガイド部６内に交換可能に設置された合金工具鋼ＳＫＤ１１製の寸法１５ｍｍ×６０ｍｍ×４０ｍｍの対向するウェアプレ一卜１６ａの間に、プランジャー７の外周の４箇所に設けられた合金工具鋼ＳＫＤ１１製の寸法３５ｍｍ×１２０ｍｍ×１５ｍｍのガイドバー７ａが嵌合することによって位置決めされる構造になっている。また、成型されるガラスパネルＰの高精度化に伴い、プランジャー７とシェルリング３とが所定の位置で正確に合致するように、ウェアプレ一卜１６ａとガイドバー７ａの嵌合部位は可能な限り遊びが小さくしてある。
【００２９】
図１（Ａ）の場合、ウェアプレ一卜１６ａのガイドバー７ａの解離位置１６ｃは、シェルリング３の上面からδだけ下方に離れており、この例のウェアプレ一卜１６ａでは、δは１５ｍｍである。
【００３０】
シェルガイド６のウェアプレ一卜１６ａとガイドバー７ａは互いに擦られ、その金属同士の擦れにより金属粉を発生させながら所定の位置に組み合わされ、成型後に引き離されるが、拡大して示すように、高さδの段差を超えてシェルリング３の内面に侵入した金属粉Ｓは殆ど観察されなかった。
【実施例２】
【００３１】
次に、図１（Ｂ）に示すように、プランジャー７のガイドバー１７ａと、ガイド部６に取付けられたウェアプレート２６ａとが互いに嵌合する面に対する面取りテーパー面１７ｂ、２６ｂの角度をそれぞれα、βとする。αとβの値を種々変更して金属粉Ｓの発生量を調査したところ、αとβをそれぞれ１０°〜１５°の範囲内にして両者をほぼ一致させた場合に、金属粉の発生量が最も少ないことが分かった。図１（Ｂ）の場合、α、βともに１２°とし、テーパー面１７ｂ、２６ｂの垂直方向の寸法はそれぞれ１０ｍｍとした。また、ウェアプレート２６ａのガイドバー１７ａの解離位置２６ｃは、シェルリング３の上面からδだけ下方に離れており、この例のウェアプレート２６ａの場合、δは１８ｍｍである。
【００３２】
上記のようなテーパー面１７ｂ、２６ｂをガイドバー１７ａとウェアプレート２６ａのそれぞれに設けたことにより、ウェアプレート２６ａとガイドバー１７ａが接触した直後に擦られ始める際に生じる金属粉Ｓを減らし、かつ、ガイドバー１７ａが接触当初から解離するまでの間ほぼ面接触しており、摺動しながら円滑に離れるので、衝撃が和らげられることにより、金属粉Ｓの発生自体が抑制され、さらに、プランジャー７が上昇してガイドバー１７ａがガイド部６のウェアプレ一卜２６ａから離れる際に、ガイドバー１７ａの振動発生も抑制されたことにより金属粉Ｓの飛散も大幅に抑制された。
【００３３】
このような結果として、金属粉Ｓなどの異物付着による欠陥の発生が半減され、高品質なガラス物品を得ることができ、プランジャーの交換回数も抑制することができた。さらに、ガイドバーやガイドプレートの磨耗量も少なくなり交換頻度が低減し、雌金型とプランジャーの位置決め精度が長期間に亘って高精度に維持され、成型されるガラス物品の寸法精度も安定した。
【産業上の利用可能性】
【００３４】
本発明は、陰極線管用ガラスパネル以外にもガイドバー及びウェアプレ一卜を使用する粘土その他の材質の成型にも適用可能である。
【図面の簡単な説明】
【００３５】
【図１】本発明のガラス物品のプレス成型装置の説明図であって、（Ａ）はウェアプレ一卜の上端を下げた実施形態の説明図、（Ｂ）はガイドバーの先端部及びウェアプレ一卜の上端部に互いのテーパー面の角度がほぼ一致した面取り部を設けた実施形態の説明図。
【図２】ＣＲＴ用ガラスパネルの概略図。
【図３】プレス成型装置を構成する回転テーブル及びプレス成型工程における各ステーションを模式的に示す説明図。
【図４】プレス成形装置のステーションＣの状態を示し、（Ａ）はボトムにゴブが供給されている状態を示す説明図、（Ｂ）はプランジャーが下降しゴブを押圧してガラスパネルに成型している状態を示す説明図、（Ｃ）は（Ｂ）のＸ−Ｘ断面図で、シェルガイド、ボトムガイドバー及びプランジャーのガイドバーを組み合わせた状態を示す説明図。
【図５】シェルガイドとプランジャーガイドバーとが擦れて金属粉を発生させている状態を示す説明図。
【符号の説明】
【００３６】
１    回転テーブル
２    ボトム（底金型）
２ａ    ボトムガイドバー
３    シェルリング（側金型）
４    雌金型
６    シェルガイド（ガイド部）
６ａ、１６ａ、２６ａ    ウェアプレ一卜
２６ｂ    ウェアプレ一卜のテーパー面
１６ｃ、２６ｃ    解離位置
７    プランジャー（雄金型）
７ａ、１７ａ    プランジャーのガイドバー
１７ｂ    プランジャーガイドバーのテーパー面
Ｇ    ゴブ
Ｐ    ガラスパネル
α    ガイドバーのテーパー面の角度
β    ウェアプレ一卜のテーパー面の角度
【図１】
2006335581.tif 000003
【図２】
2006335581.tif 000004
【図３】
2006335581.tif 000005
【図４】
2006335581.tif 000006
【図５】
2006335581.tif 000007